(57)【要約】発明は、ディスプレイを備えるポータブル電子デバイス並びに、画像を表示するディスプレイを、異なる色またはグレースケールの領域の提供を通じて調整する方法及びコンピュータプログラムに関する。ポータブル電子デバイスは、隣接する領域が異なる輝度を有する、異なる色またはグレースケールの複数の領域を提供して画像を表示するディスプレイ、環境光検出手段、及び制御手段を備える。制御手段は、検出された環境光に対応する輝度値を環境光検出手段から受信し、輝度値と第１の環境光レベル閾値とを比較し、輝度値が第１の環境光レベル閾値を上回る場合に、ディスプレイに表示された画像における隣接する領域の輝度差を増加させる。
2011504604.tif 000002
【特許請求の範囲】
【請求項１】
隣接する領域が異なる輝度を有する、異なる色またはグレースケールの複数の領域を提供して画像を表示するディスプレイと、
環境光検出手段と、
制御手段であって、
検出された環境光に対応する輝度値を、前記環境光検出手段から受信し、
前記輝度値と第１の環境光レベル閾値とを比較し、
前記輝度値が前記閾値を上回る場合に、前記ディスプレイに表示された前記画像の前記隣接する領域の輝度差を増加させる、
ように構成された制御手段と、を備えることを特徴とするポータブル電子デバイス。
【請求項２】
前記制御手段は、前記輝度差を増加させる際に、前記色または前記グレースケールを、白黒に変更するように構成されることを特徴とする請求項１に記載のポータブル電子デバイス。
【請求項３】
前記制御手段はさらに、前記輝度値を第２の環境光レベル閾値と比較し、前記輝度値が当該第２の環境光レベル閾値を下回る場合、前記隣接する領域の輝度差を、以前増加させた前記輝度差について減少させるように構成されることを特徴とする請求項１に記載のポータブル電子デバイス。
【請求項４】
前記制御手段はさらに、前記輝度値が前記第１の環境光レベル閾値を上回る場合には、前記ディスプレイに表示されている前記画像の変更も行うように構成されることを特徴とする請求項１に記載のポータブル電子デバイス。
【請求項５】
少なくとも１つの状況データ供給手段をさらに備え、
前記制御手段が、前記表示されている画像を変更するように構成されている場合、前記状況データ供給手段から状況データを受信し、当該受信した状況データに基づいて前記画像を変更するように構成されることを特徴とする請求項４に記載のポータブル電子デバイス。
【請求項６】
１つの前記状況データ供給手段が時計であり、前記状況データ供給手段に関連付けられた前記状況データは時間データであることを特徴とする請求項５に記載のポータブル電子デバイス。
【請求項７】
１つの前記状況データ供給手段が温度検出手段であり、前記状況データ供給手段に関連付けられた前記状況データは温度データであることを特徴とする請求項５に記載のポータブル電子デバイス。
【請求項８】
１つの前記状況データ供給手段は位置検出手段であり、前記状況データ供給手段に関連付けられた前記状況データは位置データであることを特徴とする請求項５に記載のポータブル電子デバイス。
【請求項９】
前記ディスプレイが液晶ディスプレイであることを特徴とする請求項１に記載のポータブル電子デバイス。
【請求項１０】
それが、ポータブル通信デバイスであることを特徴とする請求項１に記載のポータブル電子デバイス。
【請求項１１】
それが、携帯電話であることを特徴とする請求項１０に記載のポータブル電子デバイス。
【請求項１２】
隣接する領域が異なる輝度を有する、異なる色またはグレースケールの複数の領域を提供して画像を表示するディスプレイを調整する方法であって、
検出された環境光に対応する輝度値を受信するステップと、
前記輝度値と第１の環境光レベル閾値とを比較するステップと、
前記輝度値が前記閾値を上回る場合、前記ディスプレイに表示された前記画像の前記隣接する領域の輝度差を増加させるステップと、を備えることを特徴とする方法。
【請求項１３】
前記輝度差を増加するステップが、前記色または前記グレースケールを、白黒に変更することを特徴とする請求項１２に記載の方法。
【請求項１４】
前記輝度値と第２の環境光レベル閾値を比較するステップと、
前記輝度差が前記第２の環境光レベル閾値を下回る場合、前記隣接する領域の輝度差を、以前増加させた前記輝度差について減少させるステップと、をさらに備えることを特徴とする請求項１２に記載の方法。
【請求項１５】
前記輝度値が前記第１の環境光レベル閾値を上回る場合には、前記ディスプレイに表示されている前記画像を変更するステップをさらに備えることを特徴とする請求項１２に記載の方法。
【請求項１６】
状況データを受信し、当該受信した状況データに基づいて、前記表示されている画像を変更するステップを実行するステップをさらに備えることを特徴とする請求項１５に記載の方法。
【請求項１７】
前記状況データが時間データを含むことを特徴とする請求項１６に記載の方法。
【請求項１８】
前記状況データが温度データを含むことを特徴とする請求項１６に記載の方法。
【請求項１９】
前記状況データが位置データを含むことを特徴とする請求項１６に記載の方法。
【請求項２０】
ポータブル電子デバイスのディスプレイであって、隣接する領域が異なる輝度を有する、異なる色またはグレースケールの複数の領域を提供して画像を表示するディスプレイ、を調整するコンピュータプログラムであり、
前記ポータブル電子デバイスに読み込まれた際に、当該ポータブル電子デバイスに、
検出された環境光に対応する輝度値を受信する工程と、
前記輝度値と第１の環境光レベル閾値とを比較する工程と、
前記輝度値が前記閾値を上回る場合に、前記ディスプレイに表示された前記画像の前記隣接する領域の輝度差を増加させる工程と、
を実行させるように構成された、データキャリアで提供されるコンピュータプログラムコードを備えることを特徴とするコンピュータプログラム。
【発明の詳細な説明】
【技術分野】
【０００１】
本発明はポータブル電子デバイスの分野に関するものであり、特には、ディスプレイを備えるポータブル電子デバイス並びに、画像を表示するディスプレイを、異なる色またはグレースケールの領域の提供を通じて調整する方法及びコンピュータプログラムに関する。
【背景技術】
【０００２】
例えば携帯電話等のポータブル通信デバイスのようなポータブル電子デバイスにおいて、デバイスのユーザに画像を提示する、カラー及びグレースケールのディスプレイは幅広く用いられている。今日、このようなディスプレイは、多くの色や色の濃淡(nuance)を有する鮮鋭な画像を提示することができる。しかしながら、デバイスの携帯性故、デバイスは太陽光のような多くの環境光がディスプレイに降りそそぐ野外で使用されることが多い。このような場合は大抵、表示された画像を正しく知覚することは不可能である。様々な色やそのニュアンスが、ユーザに正しく識別されることができないことは珍しくない。それにより、画像に含まれる情報がユーザに伝わらないかもしれない。また、ユーザが識別不可能な、異なる色及びその濃淡を表示するための多くの努力はエネルギの浪費である。それ故、環境光が多い場合におけるこの状況の改良が必要である。
【発明の概要】
【０００３】
本発明は、強い環境光条件が存在する場合に視認しやすいディスプレイを提供することを目的とする。
【０００４】
本発明の第１の側面に係るポータブル電子デバイスは、
隣接する領域が異なる輝度を有する、異なる色またはグレースケールの複数の領域を提供して画像を表示するディスプレイと、
環境光検出手段と、
制御手段であって、
検出された環境光に対応する輝度値を、前記環境光検出手段から受信し、
前記輝度値と第１の環境光レベル閾値とを比較し、
前記輝度値が前記閾値を上回る場合に、前記ディスプレイに表示された前記画像の前記隣接する領域の輝度差を増加させる、
ように構成された制御手段と、を備えることを特徴とする。
【０００５】
本発明の第２の側面に係る電子デバイスは、
第１の側面の特徴を含むポータブル電子デバイスであって、制御手段が、前記輝度差を増加させる際に、前記色または前記グレースケールを、白黒に変更するように構成されることを特徴とする。
【０００６】
本発明の第３の側面に係る電子デバイスは、
第１の側面の特徴を含むポータブル電子デバイスであって、前記制御手段がさらに、前記輝度値を第２の環境光レベル閾値と比較し、前記輝度値が当該第２の環境光レベル閾値を下回る場合、前記隣接する領域の輝度差を、以前増加させた前記輝度差について減少させるように構成されることを特徴とする。
【０００７】
本発明の第４の側面に係る電子デバイスは、
第１の側面の特徴を含むポータブル電子デバイスであって、前記制御手段がさらに、前記輝度値が前記第１の環境光レベル閾値を上回る場合には、前記ディスプレイに表示されている前記画像の変更も行うように構成されることを特徴とする。
【０００８】
本発明の第５の側面に係る電子デバイスは、
第４の側面の特徴を含むポータブル電子デバイスであって、少なくとも１つの状況データ供給手段をさらに備え、
前記制御手段が、前記表示されている画像を変更するように構成されている場合、前記状況データ供給手段から状況データを受信し、当該受信した状況データに基づいて前記画像を変更するように構成されることを特徴とする。
【０００９】
本発明の第６の側面に係る電子デバイスは、
第５の側面の特徴を含むポータブル電子デバイスであって、１つの前記状況データ供給手段が時計であり、前記状況データ供給手段に関連付けられた前記状況データが時間データであることを特徴とする。
【００１０】
本発明の第７の側面に係る電子デバイスは、
第６の側面の特徴を含むポータブル電子デバイスであって、１つの前記状況データ供給手段が温度検出手段であり、前記状況データ供給手段に関連付けられた前記状況データが温度データであることを特徴とする。
【００１１】
本発明の第８の側面に係る電子デバイスは、
第５の側面の特徴を含むポータブル電子デバイスであって、１つの前記状況データ供給手段が位置検出手段であり、前記状況データ供給手段に関連付けられた前記状況データが位置データであることを特徴とする。
【００１２】
本発明の第９の側面に係る電子デバイスは、
第１の側面の特徴を含むポータブル電子デバイスであって、前記ディスプレイが液晶ディスプレイであることを特徴とする。
【００１３】
本発明の第１０の側面に係る電子デバイスは、
第１の側面の特徴を含むポータブル電子デバイスであって、それがポータブル通信デバイスであることを特徴とする。
【００１４】
本発明の第１１の側面に係る電子デバイスは、
第１０の側面の特徴を含むポータブル電子デバイスであって、それが携帯電話であることを特徴とする。
【００１５】
本発明の第１２の側面に係る方法は、
隣接する領域が異なる輝度を有する、異なる色またはグレースケールの複数の領域を提供して画像を表示するディスプレイを調整する方法であって、
検出された環境光に対応する輝度値を受信するステップと、
前記輝度値と第１の環境光レベル閾値とを比較するステップと、
前記輝度値が前記閾値を上回る場合、前記ディスプレイに表示された前記画像の前記隣接する領域の輝度差を増加させるステップと、
を備えることを特徴とする。
【００１６】
本発明の第１３の側面に係る方法は、
第１２の側面の特徴を含む方法であって、前記輝度差を増加するステップが、前記色または前記グレースケールを、白黒に変更することを特徴とする。
【００１７】
本発明の第１４の側面に係る方法は、
第１２の側面の特徴を含む方法であって、前記輝度値と第２の環境光レベル閾値を比較するステップと、
前記輝度差が前記第２の環境光レベル閾値を下回る場合、前記隣接する領域の輝度差を、以前増加させた前記輝度差について減少させるステップと、
をさらに備えることを特徴とする。
【００１８】
本発明の第１５の側面に係る方法は、
第１２の側面の特徴を含む方法であって、前記輝度値が前記第１の環境光レベル閾値を上回る場合には、前記ディスプレイに表示されている前記画像を変更するステップをさらに備えることを特徴とする。
【００１９】
本発明の第１６の側面に係る方法は、
第１５の側面の特徴を含む方法であって、状況データを受信し、当該受信した状況データに基づいて、前記表示されている画像を変更するステップを実行するステップをさらに備えることを特徴とする。
【００２０】
本発明の第１７の側面に係る方法は、
第１６の側面の特徴を含む方法であって、前記状況データが時間データを含むことを特徴とする。
【００２１】
本発明の第１８の側面に係る方法は、
第１６の側面の特徴を含む方法であって、前記状況データが温度データを含むことを特徴とする。
【００２２】
本発明の第１９の側面に係る方法は、
第１６の側面の特徴を含む方法であって、前記状況データが位置データを含むことを特徴とする。
【００２３】
本発明の第２０の側面に係るコンピュータプログラムは、ポータブル電子デバイスのディスプレイであって、隣接する領域が異なる輝度を有する、異なる色またはグレースケールの複数の領域を提供して画像を表示するディスプレイ、を調整するコンピュータプログラムであり、
前記ポータブル電子デバイスに読み込まれた際に、当該ポータブル電子デバイスに、
検出された環境光に対応する輝度値を受信する工程と、
前記輝度値と第１の環境光レベル閾値とを比較する工程と、
前記輝度値が前記閾値を上回る場合に、前記ディスプレイに表示された前記画像の前記隣接する領域の輝度差を増加する工程と、
を実行させるように構成された、データキャリアで提供されるコンピュータプログラムコードを備えることを特徴とする。
【００２４】
本発明は多数の利点を有する。本発明は、環境光が多い場合でも視認可能な情報の提供を可能とする。それ故に、本発明はディスプレイの視認性を改良するものである。さらに、本発明に用いられる手段の多くはすでに多くのポータブル電子デバイスのハードウェアに存在するため、本発明の実施は容易である。この場合、唯一追加が必要なものは、いくらかの新しいソフトウェアである。
【００２５】
本明細書において使用される「備える／備えている」という語句は、規定の特徴、数値、ステップまたはコンポーネントの存在を特定するために用いられるが、１以上の他の特徴、数値、ステップ、コンポーネントまたはそれらの集合の存在または追加を除外するものではないことは強調されるべきである。
【図面の簡単な説明】
【００２６】
本発明は、添付の図面に関連して、さらに詳細に説明されよう。
【図１】携帯電話の形態を有するポータブル電子デバイスの正面図である。
【図２】図１の電話が有する内部部品の一部を示したブロック図である。
【図３】図１の電話において実行されている、複数の方法ステップのフローチャートである。
【図４】本発明に係る方法を実行するためのプログラムコードが記録されたＣＤ−ＲＯＭを示す図である。
【発明を実施するための形態】
【００２７】
本発明に係るポータブル電子デバイスが、本発明に係るポータブル通信デバイスの好ましい形態である、携帯電話の形態を有するポータブル通信デバイスに関して、以下に説明されよう。ポータブル電子デバイスは、コードレス電話機、ＰＤＡ、ラップトップコンピュータ、または、無線で通信する他の形態のポータブル無線通信デバイスのような、他のタイプのポータブル通信デバイスであってよい。また、ゲーム機、ノートパッドまたは他のいかなる形態のポータブル電子デバイスであってもよい。
【００２８】
図１は本発明に係る電話の前面図を模式的に示している。電話１０はディスプレイ１４及びキーパッド１６を有する外装１２を含む。さらに、環境光の輝度を検出する環境光検出ユニット１８を有する。キーパッド１６は、通話の発信実行や着信の受け入れ、機能選択、及び通知への応答等の情報を入力するために用いられ、ディスプレイ１４は、ユーザに対しアイコン、機能及び通知等の情報を表示するために用いられる。また、電話１０は他のデバイスと通信するために用いられるアンテナを含んでいる。しかしながら、アンテナは電話１０に内蔵されているため、図示していない。電話１０はユーザに対し音声を与える、不図示のスピーカも含む。ディスプレイ１４は本実施形態ではカラーディスプレイでよく、好ましくはＬＣＤであってよい。ディスプレイはグレースケールディスプレイ、即ち灰色の濃淡を提示するディスプレイであってもよいことは理解されるべきである。
【００２９】
ここでは、ディスプレイ１４上に、ここでは（矩形で示される）いくつかのアイコンで構成された画像が示されている。さらに、ディスプレイ１４上の画像は、色又はグレースケールの複数の領域からなり、隣接する領域は異なる輝度を有している。この輝度の差は、異なる色、または同一色の異なる濃淡(nuance)によって与えられてよい。ここで、１つの領域はアイコンの一部として、隣接する領域は当該アイコンの「後ろ」に存在する背景として提供されてよい。また、アイコンが異なる色、及び異なる色の濃淡を含むことが可能であることを理解すべきである。また、アイコンはディスプレイ上の画像において表すことのできる情報の単なる例であることもまた理解すべきである。ディスプレイは、異なる色または異なる色の濃淡を有する様々な領域において、実質的にいかなる情報も提示可能である。以下の説明において、本発明を説明するためにアイコンを用いるが、本発明は決してアイコンに限定されない。
【００３０】
図２は本発明に関連することのできる携帯電話１０が、内部に有するいくつかのユニットの一部を示したブロック図である。電話１０はネットワークまたは他のデバイスと無線通信可能にするための無線回路２８の形態を有する通信ユニットに接続されたアンテナ２６を含む。無線回路２８は、制御ユニット２０に接続される。制御ユニット２０はディスプレイ１４及びキーパッド１６に接続される。制御ユニット２０は、環境光検出ユニット１８に加え、それぞれが状況データを制御ユニット２０に供給するように構成された複数の状況データ供給ユニット２２、２４、及び３０にも接続される。ここでは、第１状況データ供給ユニット２２は時計、第２状況データ供給ユニット２４は温度検出ユニット、そして第３状況データ供給ユニット３０はＧＰＳユニットであってもよい位置検出ユニットである。第１状況データ供給ユニット２２は、システムクロックと同期するために、アンテナ２６及び無線回路２８を介して時間データをネットワークから受信してもよい。ここでは、第１状況データ供給ユニット２２は時間データ、第２状況データ供給ユニット２４は温度データ、好ましくは環境温度に関する温度データ、そして第３状況データ供給ユニット３０は電話１０の位置に関するデータである位置データを供給する。本発明は一部、または全ての状況データ供給ユニットなしに実施されてよいことを理解すべきである。しかしながらここでは、状況データ供給ユニットは、本発明の一形態において用いられるために提供されている。
【００３１】
室内や夜間の野外に多い、環境光が低い輝度レベルである弱い環境光条件において、ディスプレイに表示された画像は、多くの細部や様々な色の濃淡を提示することができる。このような場合、差が小さい場合であっても、人間の目は異なる色レベルを識別することができる。つまり、階調を示すことや、例えば、背景に濃い灰色を、文字に薄い灰色を使用することが可能であり、それをユーザは問題なく知覚できるだろう。
【００３２】
しかしながら、特に晴れた日に野外で電話を使用した場合等の強い環境光条件が存在する場合、コントラストは低減し、ユーザは上述したようなグレースケールの濃淡や、多くの色及びその濃淡を見ることができない。これは、環境光がディスプレイ表面で反射されることに起因する。それ故、画像が有する情報の多くは、ユーザに知覚されないだろう。これは、エネルギ消費及び表示されている情報の両方において無駄である。本発明は、このような事態を改善することを目的とする。
【００３３】
一実施形態に係る本発明の機能を、既に説明した図１及び２に加え、本発明の第１の実施形態に係る電話において実行される複数の方法ステップのフローチャートを示す図３に関して以下に詳細に説明する。
【００３４】
本発明によれば環境光検出ユニット１８は、環境光を検出する。そして、環境光検出ユニット１８は、検出された環境光に対応する輝度値を、制御ユニット２０に供給する。ステップ３２で、制御ユニット２０はこのような輝度値を受信する。そして、制御ユニット２０は処理を進め、受信した輝度値と第１の環境光レベル閾値Ｔ１とを比較する。なお、第１の環境光レベル閾値Ｔ１は5000 lxであってよい。通常、室内の環境において、輝度は5000 lxより高くなることはないため、この値は適した閾値であろう。輝度値が第１の環境光レベル閾値を上回らない場合、ステップ３４で、制御ユニット２０は環境光検出ユニット１８により検出された環境光に対応する輝度値の受信を再開する。しかし、第１の環境光レベル閾値Ｔ１を上回る場合、制御ユニット２０は処理をステップ３６に進め、ディスプレイ１４に表示されている画像における、隣接する色領域またはグレースケール領域の輝度差を増加させる。本発明の１つの実施形態によれば、この処理は色またはグレースケールの濃淡を白黒に変更するか、互いに相当量の輝度差を有する隣接領域を提供することにより行うことができる。図１のアイコンを例にとると、この変更の一部は、アイコンと背景の輝度差を増加させることにより実現することができる。また、輝度差を有していた隣接領域が同一の輝度を有するように、一部の輝度差を一様にし、その他の領域は輝度差が増大するようにすることも可能である。このようにして、主に白黒を用いる特別な人間工学的テーマを、電話１０のユーザに対して提示することができる。このようにした後、制御ユニット２０はステップ３８で、さらにもう一度、環境光検出ユニット１８から輝度値を受信する。そして、受信した輝度値を、より低い第２の閾値Ｔ２と比較する。ステップ４０で、受信した輝度値が第２の環境光レベル閾値Ｔ２を下回らない場合、制御ユニット２０はステップ３８で別の輝度値を受信する。一方、ステップ４０で受信した輝度値が第２の環境光レベル閾値Ｔ２を下回る場合、ステップ４２で、ディスプレイ１４に表示されている画像における輝度差を減少させる。この減少は、輝度差の増加が実行される前に提示されていた画像と同一の表示画像が再び表示されるように、第１のレベルが超過される前に存在していた輝度差と同一の輝度差への減少であってよい。
【００３５】
本発明によれば、この方法で環境光が多い場合にも視認可能な情報を提示することが可能となる。即ち、視認性が低い場合、人間工学的な要件が優先されることを意味する。また、強い環境光条件の存在を理由として、暗めの環境において用いることが可能な「見映えのよい」ユーザインタフェースに関して妥協する必要がない。それ故に、本発明は、ディスプレイの視認性を改良する。さらに、本発明に用いられる多くのユニットが、多くのポータブル電子デバイスのハードウェアにおいてすでに存在するため、本発明の実施は簡単である。この場合、唯一追加が必要なものはいくらかの、新しいソフトウェアである。
【００３６】
本発明を実施可能な形態はさまざまである。例えば、上述した方法は、ユーザが電話を起動する、電話の電源を入れる、キーロック機能を解除する、または通話を受信した場合、または無線通信ユニットを介して通話がなされている際に適用することが可能である。また、人間工学的テーマは、表示されている画像に対し、第１の閾値と輝度値を比較することなく、ユーザの指示によって用いられてよい。これは、通常の状況で提示された情報を識別することが困難なユーザのためのオプションとして提供されてもよい。
【００３７】
強い環境光条件が存在する場合、どの情報が表示されるかに関して選択することが可能なことも、述べておくべきであろう。つまり、表示されている画像において変更があってもよい。例えば画像から一部のアイコンが消去され、他のアイコンが拡大され、さらにはいくつかのアイコンが追加されてもよい。ディスプレイ上に示される時計は、例えば強い環境光条件が存在する場合、拡大されてもよい。このような変更は、電話のユーザがよく使用する機能に関するアイコンやその他のデータは保持し、あまり使用しない機能に関するアイコンやその他のデータは消去する等、例えばユーザの傾向に基づくことができる。あるいは、表示すべき情報を、状況データ供給ユニットから受信した状況データにより決定してもよい。時間、位置、及び温度のいずれか、一部または全部に応じて、制御ユニットは、例えばユーザが勤務中(working)であるか否かを決定し、強い環境光条件が存在する場合にどの情報を、例えばどのアイコンを提示すべきかを、状況データに基づいて決定することができる。さらに、第２の閾値を第１の閾値と等しくすることも可能である。しかし、２つのレベルの頻繁な切り替えを避けるために、それぞれの閾値は別個であるべきである。その他の代替手段として、閾値を超えた際に、輝度差において異なる増加を生じさせる、いくつかの閾値を有してもよい。これは、様々な強い環境光の状況にディスプレイを適応させるために行うことができる。
【００３８】
本発明に係る制御ユニットは、その機能を実行するためのプログラムコードを含んだメモリを有する、１つ以上のプロセッサの形態で提供されることが好ましい。
【００３９】
上述したプログラムコードは、図４に描かれたＣＤ−ＲＯＭディスク４４、挿入可能なメモリスティック（登録商標）、またはＵＳＢメモリデバイス等のデータキャリアによって提供されてもよく、プログラムコードは、適切な処理能力を有する電話に読み込まれた際に本発明を実行するであろう。プログラムコードは、サーバから遠隔的にダウンロードされてもよい。
【００４０】
上述したように、本発明は多数の方法により変形可能である。光検出ユニットは、例えば別個の構成要素として説明した。しかしながら、光検出ユニットが、カメラやディスプレイの一部であってもよいことを理解すべきである。それ故、本発明は以下の特許請求の範囲によってのみ限定されるものである。
【図１】
2011504604.tif 000003
【図２】
2011504604.tif 000004
【図３】
2011504604.tif 000005
【図４】
2011504604.tif 000006
【手続補正書】
【提出日】平成20年8月26日(2008.8.26)
【手続補正１】
【補正対象書類名】特許請求の範囲
【補正対象項目名】請求項１０
【補正方法】変更
【補正の内容】
【請求項１０】
前記ポータブル電子デバイスが、ポータブル通信デバイスであることを特徴とする請求項１に記載のポータブル電子デバイス。
【手続補正２】
【補正対象書類名】特許請求の範囲
【補正対象項目名】請求項１１
【補正方法】変更
【補正の内容】
【請求項１１】
前記ポータブル電子デバイスが、携帯電話であることを特徴とする請求項１０に記載のポータブル電子デバイス。
【手続補正書】
【提出日】平成22年7月1日(2010.7.1)
【手続補正１】
【補正対象書類名】特許請求の範囲
【補正対象項目名】請求項１
【補正方法】変更
【補正の内容】
【請求項１】
隣接する領域が異なる輝度を有する、異なる色またはグレースケールの複数の領域を提供して画像を表示するディスプレイと、
環境光検出手段と、
制御手段であって、
検出された環境光に対応する輝度値を、前記環境光検出手段から受信し、
前記輝度値と第１の強環境光レベル閾値とを比較し、
前記輝度値が前記閾値を上回る場合に、前記ディスプレイに表示された前記画像の前記隣接する領域の輝度差を増加させる、
ように構成された制御手段と、を備えることを特徴とするポータブル電子デバイス。
【手続補正２】
【補正対象書類名】特許請求の範囲
【補正対象項目名】請求項４
【補正方法】変更
【補正の内容】
【請求項４】
前記制御手段はさらに、前記輝度値が前記第１の強環境光レベル閾値を上回る場合には、前記ディスプレイに表示されている前記画像の変更も行うように構成されることを特徴とする請求項１に記載のポータブル電子デバイス。
【手続補正３】
【補正対象書類名】特許請求の範囲
【補正対象項目名】請求項１２
【補正方法】変更
【補正の内容】
【請求項１２】
隣接する領域が異なる輝度を有する、異なる色またはグレースケールの複数の領域を提供して画像を表示するディスプレイを調整する方法であって、
検出された環境光に対応する輝度値を受信するステップと、
前記輝度値と第１の強環境光レベル閾値とを比較するステップと、
前記輝度値が前記閾値を上回る場合、前記ディスプレイに表示された前記画像の前記隣接する領域の輝度差を増加させるステップと、を備えることを特徴とする方法。
【手続補正４】
【補正対象書類名】特許請求の範囲
【補正対象項目名】請求項１５
【補正方法】変更
【補正の内容】
【請求項１５】
前記輝度値が前記第１の強環境光レベル閾値を上回る場合には、前記ディスプレイに表示されている前記画像を変更するステップをさらに備えることを特徴とする請求項１２に記載の方法。
【手続補正５】
【補正対象書類名】特許請求の範囲
【補正対象項目名】請求項２０
【補正方法】変更
【補正の内容】
【請求項２０】
ポータブル電子デバイスのディスプレイであって、隣接する領域が異なる輝度を有する、異なる色またはグレースケールの複数の領域を提供して画像を表示するディスプレイ、を調整するコンピュータプログラムであり、
前記ポータブル電子デバイスに読み込まれた際に、当該ポータブル電子デバイスに、
検出された環境光に対応する輝度値を受信する工程と、
前記輝度値と第１の強環境光レベル閾値とを比較する工程と、
前記輝度値が前記閾値を上回る場合に、前記ディスプレイに表示された前記画像の前記隣接する領域の輝度差を増加させる工程と、
を実行させるように構成された、データキャリアで提供されるコンピュータプログラムコードを備えることを特徴とするコンピュータプログラム。
【国際調査報告】
2011504604.tif 000007
2011504604.tif 000008
2011504604.tif 000009